(57)【特許請求の範囲】
【請求項１】
紫外光を発する紫外光源と、該紫外光源を保持する保持体とを備える医療用紫外光照射装置において、
前記保持体は、アーチ形状に形成されており、対象物との距離及び位置関係を調整することが可能な可動部、及び対象物を撮像する撮像手段を備え、
該撮像手段で撮像された画像を、前記保持体のアーチ形状に接する平面上に投影した画像に補正し、補正された補正画像を対応する紫外光源に合わせて複数の領域に分割する手段及び／又は前記保持体のアーチ形状に沿って同一面積で分割した紫外光照射領域を上方から平面視した形状で、前記撮像手段で撮像された画像を複数の領域に分割する手段を有し、
分割されたそれぞれの領域を、前記保持体の紫外光照射領域に対応付け、
分割された領域の中から紫外光を発する領域の指定を受け付けることを特徴とする医療用紫外光照射装置。
【請求項２】
前記保持体のアーチ形状に沿って同一面積で分割した紫外光照射領域を上方から平面視した形状で、前記撮像手段で撮像された画像を複数の領域に分割する手段、及び前記撮像手段で撮像された画像を、前記保持体のアーチ形状に接する平面上に投影した画像に補正し、補正された補正画像を対応する紫外光源に合わせて複数の領域に分割する手段を切り替える切替手段を有し、
切り替えられた手段で分割されたそれぞれの領域を、前記保持体の紫外光照射領域に対応付け、
分割された領域の中から紫外光を発する領域の指定を受け付けることを特徴とする請求項１に記載の医療用紫外光照射装置。
【請求項３】
前記紫外光源は、
紫外光を発する複数の点光源で構成されており、
該点光源が前記保持体に配列状に配置されていることを特徴とする請求項１又は２に記載の医療用紫外光照射装置。
【請求項４】
前記紫外光源は、
紫外光を発する蛍光体材料で構成してある蛍光体層が形成してあり、放電ガスが内部に封入してある複数の放電細長管と、
複数の前記放電細長管を並列に配置してある薄膜シートと、
該薄膜シートと前記放電細長管との間に設けてある、前記放電細長管の内部に放電を発生させる少なくとも一の電極対と、
該電極対に電圧を印加して所定の位置から紫外線を発するよう制御する制御回路と
を備え、
前記電極対は、複数の前記放電細長管の長手方向に略直交する方向に設けてあることを特徴とする請求項１乃至３のいずれか一項に記載の医療用紫外光照射装置。
【請求項５】
複数の前記電極対を複数のブロックに分け、前記電極対のうち少なくとも一の電極に印加するパルス電圧を前記ブロックごとに制御するスイッチ回路を備えることを特徴とする請求項４に記載の医療用紫外光照射装置。
【請求項６】
前記電極対に対して直交する方向に電極を有する電極シートを備え、
前記薄膜シートと前記電極シートとで複数の前記放電細長管を挟持することを特徴とする請求項４又は５に記載の医療用紫外光照射装置。
【発明の詳細な説明】
【技術分野】
【０００１】
本発明は曲面形状を有し、紫外光を発光する医療用紫外光照射装置に関し、特に複数の放電細長管を並列に配置してある医療用紫外光照射装置に関する。
【背景技術】
【０００２】
従来、紫外光照射装置に用いる光源として、超高圧水銀ランプ、ＵＶ−ＬＥＤ、紫外光蛍光管等が広く採用されている。特に、強い紫外光の照射強度が求められる半導体の露光装置の光源としては、超高圧水銀ランプが用いられる場合が多い。【０００３】
また、医療用紫外光照射装置では、強い照射強度の紫外光が求められるよりも、患者に合わせた紫外光を局所的に当てる、紫外光の照射強度を調整する等を目的としている。そのため、光源として紫外光蛍光管が用いられることが多い。特許文献１に記載の紫外光照射装置には、対向配置した２枚のガラス基板の周縁部を封止して形成した放電室を備える平板型紫外光蛍光管が用いられている。【０００４】
また、最近では、複数の放電細長管を並列に配置してある紫外光照射装置も開発されている。放電ガスが内部に封入してある複数の放電細長管を並列に配置して薄膜シートとし、可撓性を有する紫外光源として用いている。
【先行技術文献】
【特許文献】
【０００５】
【特許文献１】特開２００４−３５０９４６号公報
【発明の概要】
【発明が解決しようとする課題】
【０００６】
しかし、医療用として紫外光を患者に照射する場合、患部のみに正しく照射する必要性が高い。紫外光を照射するべき患部の位置の判断は、ユーザが目視確認することがほとんどであり、ユーザの目視による確認と紫外光の照射位置の設定とが正しくリンクしているユーザインタフェースの提供が望まれている。【０００７】
本発明は、上記事情に鑑みてなされたものであり、ユーザの目視で確認された患部に正しく紫外光を照射することが可能な医療用紫外光照射装置を提供することを目的とする。
【課題を解決するための手段】
【０００８】
上記目的を達成するために第１発明に係る医療用紫外光照射装置は、紫外光を発する紫外光源と、該紫外光源を保持する保持体とを備える医療用紫外光照射装置において、前記保持体は、アーチ形状に形成されており、対象物との距離及び位置関係を調整することが可能な可動部、及び対象物を撮像する撮像手段を備え、該撮像手段で撮像された画像を、前記保持体のアーチ形状に接する平面上に投影した画像に補正し、補正された補正画像を対応する紫外光源に合わせて複数の領域に分割する手段及び／又は前記保持体のアーチ形状に沿って同一面積で分割した紫外光照射領域を上方から平面視した形状で、前記撮像手段で撮像された画像を複数の領域に分割する手段を有し、分割されたそれぞれの領域を、前記保持体の紫外光照射領域に対応付け、分割された領域の中から紫外光を発する領域の指定を受け付けることを特徴とする。
【０００９】
第１発明では、紫外光源を保持する、アーチ形状を有する保持体を備えており、保持体は、対象物との距離及び位置関係を調整することが可能な可動部、及び対象物を撮像する撮像手段を備えている。撮像手段で撮像された画像を、保持体のアーチ形状に接する平面上に投影した画像に補正し、補正された補正画像を対応する紫外光源に合わせて複数の領域に分割する手段及び／又は保持体のアーチ形状に沿って同一面積で分割した紫外光照射領域を上方から平面視した形状で、撮像手段で撮像された画像を複数の領域に分割する手段を有し、分割されたそれぞれの領域を、保持体の紫外光照射領域に対応付け、分割された領域の中から紫外光を発する領域の指定を受け付けることにより、ユーザは、操作に熟練を要することなく、分割された領域単位で指定をして、対応する紫外光源のみを発光させることができる。したがって、目視確認により紫外光を照射するべきと判断された患部に対してのみ正しく紫外光を照射することができ、医療効果を高めることが可能となる。また、補正された補正画像を対応する紫外光源に合わせて複数の領域に分割するので、対象物の側面部分であっても確実に紫外光を照射することが可能な紫外光照射領域を指定することが可能となる。
【００１０】
また、第２発明に係る医療用紫外光照射装置は、第１発明において、前記保持体のアーチ形状に沿って同一面積で分割した紫外光照射領域を上方から平面視した形状で、前記撮像手段で撮像された画像を複数の領域に分割する手段、及び前記撮像手段で撮像された画像を、前記保持体のアーチ形状に接する平面上に投影した画像に補正し、補正された補正画像を対応する紫外光源に合わせて複数の領域に分割する手段を切り替える切替手段を有し、切り替えられた手段で分割されたそれぞれの領域を、前記保持体の紫外光照射領域に対応付け、分割された領域の中から紫外光を発する領域の指定を受け付けることが好ましい。
【００１１】
第２発明では、保持体のアーチ形状に沿って同一面積で分割した紫外光照射領域を上方から平面視した形状で、撮像手段で撮像された画像を複数の領域に分割する手段、及び撮像手段で撮像された画像を、保持体のアーチ形状に接する平面上に投影した画像に補正し、補正された補正画像を対応する紫外光源に合わせて複数の領域に分割する手段を切り替える切替手段を有し、切り替えられた手段で分割されたそれぞれの領域を、保持体の紫外光照射領域に対応付け、分割された領域の中から紫外光を発する領域の指定を受け付けることにより、ユーザは、操作に熟練を要することなく、分割された領域単位で指定をして、対応する紫外光源のみを発光させることができる。したがって、目視確認により紫外光を照射するべきと判断された患部に対してのみ正しく紫外光を照射することができ、医療効果を高めることが可能となる。また、保持体のアーチ形状に沿って同一面積で分割した紫外光照射領域を上方から平面視した形状で、撮像手段で撮像された画像を複数の領域に分割するか、あるいは撮像手段で撮像された画像を、保持体のアーチ形状に接する平面上に投影した画像に補正し、補正された補正画像を対応する紫外光源に合わせて複数の領域に分割するかを切り替えることができるので、ユーザのニーズに応じて、紫外光照射領域を指定する手段を切り替えることが可能となる。
【００１８】
また、第３発明に係る医療用紫外光照射装置は、第１又は第２発明において、前記紫外光源は、紫外光を発する複数の点光源で構成されており、該点光源が前記保持体に配列状に配置されていることが好ましい。
【００１９】
第３発明では、紫外光源は、紫外光を発する複数の点光源で構成されており、点光源が保持体に配列状に配置されているので、点光源の集合体として紫外光源を構成することができる。したがって、指定を受け付けた領域に含まれる紫外光源を容易に発光させることができ、ユーザは、操作に熟練を要することなく、目視確認により紫外光を照射するべきと判断された患部に対してのみ正しく紫外光を照射することができ、医療効果を高めることが可能となる。
【００２０】
また、第４発明に係る医療用紫外光照射装置は、第１乃至第３発明のいずれか１つにおいて、前記紫外光源は、紫外光を発する蛍光体材料で構成してある蛍光体層が形成してあり、放電ガスが内部に封入してある複数の放電細長管と、複数の前記放電細長管を並列に配置してある薄膜シートと、該薄膜シートと前記放電細長管との間に設けてある、前記放電細長管の内部に放電を発生させる少なくとも一の電極対と、該電極対に電圧を印加して所定の位置から紫外線を発するよう制御する制御回路とを備え、前記電極対は、複数の前記放電細長管の長手方向に略直交する方向に設けてあることが好ましい。
【００２１】
第４発明では、紫外光源として、蛍光体層が形成してあり、放電ガスが内部に封入してある複数の放電細長管を用い、該紫外光源を薄膜シートに並列に配置してある。薄膜シートと放電細長管との間に少なくとも一の電極対を設け、電極対に電圧を印加する。制御回路によりどこに電圧を印加するか、及び印加する電圧の大きさを制御することができるので、放電細長管が放電して紫外光を発することができる一定電圧以上の電圧値を確保しつつ、単位時間当たりに印加する電力量を制御することができ、印加する電圧の電圧値しか制御できない超高圧水銀ランプ、紫外光蛍光管等を紫外光源に用いる場合に比べて広い範囲で紫外光の照射強度を調整することが可能になる。
【００２２】
また、第５発明に係る医療用紫外光照射装置は、第４発明において、複数の前記電極対を複数のブロックに分け、前記電極対のうち少なくとも一の電極に印加するパルス電圧を前記ブロックごとに制御するスイッチ回路を備えることが好ましい。
【００２３】
第５発明では、スイッチ回路が、電極対のうち少なくとも一の電極に印加するパルス電圧をブロックごとに制御するので、紫外光を照射することができる領域のうち任意の領域にのみ紫外光を照射することができ、ユーザは、操作に熟練を要することなく、目視確認により紫外光を照射するべきと判断された患部に対してのみ正しく紫外光を照射することができ、医療効果を高めることが可能となる。
【００２４】
また、第６発明に係る医療用紫外光照射装置は、第４又は第５発明において、前記電極対に対して直交する方向に電極を有する電極シートを備え、前記薄膜シートと前記電極シートとで複数の前記放電細長管を挟持することが好ましい。
【００２５】
第６発明では、電極対に対して直交する方向に電極を有する電極シートを備え、薄膜シートと電極シートとで複数の放電細長管を挟持するので、電極対と電極とが交差する位置ごとに照射領域と、非照射領域とを生成することができ、紫外光の照射強度や紫外光を照射することができる領域を微細に調整することが可能となる。
【発明の効果】
【００２６】
本発明では、アーチ形状を有する保持体を備えており、保持体は、対象物との距離及び位置関係を調整することが可能な可動部、及び対象物を撮像する撮像手段を備えている。撮像手段で撮像された画像を、保持体のアーチ形状に接する平面上に投影した画像に補正し、補正された補正画像を対応する紫外光源に合わせて複数の領域に分割する手段及び／又は保持体のアーチ形状に沿って同一面積で分割した紫外光照射領域を上方から平面視した形状で、撮像手段で撮像された画像を複数の領域に分割する手段を有し、分割されたそれぞれの領域を、保持体の紫外光照射領域に対応付け、分割された領域の中から紫外光を発する領域の指定を受け付けることにより、ユーザは、操作に熟練を要することなく、分割された領域単位で指定をして、対応する紫外光源のみを発光させることができる。したがって、目視確認により紫外光を照射するべきと判断された患部に対してのみ正しく紫外光を照射することができ、医療効果を高めることが可能となる。
【図面の簡単な説明】
【００２７】
【図１】本発明の実施の形態１に係る医療用紫外光照射装置の外観を示す概略図である。
【図２】本発明の実施の形態１に係る医療用紫外光照射装置の紫外光源の構成を示す斜視図である。
【図３】図２に示す紫外光源のＡ−Ａ断面図である。
【図４】本発明の実施の形態１に係る電極支持シートの透過率特性の例示図である。
【図５】本発明の実施の形態１に係る反射層の透過率特性の例示図である。
【図６】図２に示す紫外光源のＢ−Ｂ断面図である。
【図７】本発明の実施の形態１に係る医療用紫外光照射装置の紫外光源の構成を示す概略図である。
【図８】図２に示す別の構成の紫外光源のＢ−Ｂ断面図である。
【図９】本発明の実施の形態１に係る紫外光源を点灯駆動する回路の基本的構成を示す回路図である。
【図１０】本発明の実施の形態１に係る紫外光源を保持体に保持した状態を示す断面図である。
【図１１】本発明の実施の形態１に係る医療用紫外光照射装置の構成を示す、保持体の回転軸に直交する面での断面図である。
【図１２】本発明の実施の形態１に係る医療用紫外光照射装置の、紫外光を照射する対象物が人体である場合の紫外光照射領域の例示図である。
【図１３】本発明の実施の形態１に係る医療用紫外光照射装置の撮像装置を複数配置した場合の撮像状態を示す模式図である。
【図１４】本発明の実施の形態１に係る医療用紫外光照射装置の撮像装置を対象物である人体の身幅方向に複数配置した場合の撮像状態を示す模式図である。
【図１５】本発明の実施の形態１に係る医療用紫外光照射装置で表示される画像を説明するための模式図である。
【図１６】本発明の実施の形態１に係る医療用紫外光照射装置で表示される他の画像を説明するための模式図である。
【図１７】本発明の実施の形態１に係る医療用紫外光照射装置の、紫外光照射領域と撮像された画像との対応例を示す模式図である。
【図１８】本発明の実施の形態１に係る医療用紫外光照射装置を使用する状態を説明するための模式図である。
【図１９】本発明の実施の形態１に係る医療用紫外光照射装置の操作装置におけるユーザインタフェースの例示図である。
【図２０】本発明の実施の形態１に係る紫外光源を選択的に点灯駆動する回路の基本的構成を示す回路図である。
【図２１】本発明の実施の形態１に係るスイッチ回路の回路構成を示す回路図である。
【図２２】本発明の実施の形態２に係る医療用紫外光照射装置の紫外光源の構成を示す模式図である。
【図２３】本発明の実施の形態２に係る医療用紫外光照射装置の紫外光源を、保持体に取り付ける状態を示す模式図である。
【発明を実施するための形態】
【００２８】
以下に、本発明の実施の形態に係る医療用紫外光照射装置について、図面に基づいて詳細に説明する。
【００２９】
（実施の形態１）
図１は、本発明の実施の形態１に係る医療用紫外光照射装置の外観を示す概略図である。図１に示す医療用紫外光照射装置１００は、紫外光源１、紫外光源１を保持するバックボードとして機能するアーチ形状の保持体２００、保持体２００を支えるとともに制御ボックスを兼ねた支持部３００を備えている。
【００３０】
医療用紫外光照射装置１００は、乾癬、アトピー性皮膚炎、白斑などの治療に有効なＵＶ−Ｂの波長の紫外光を照射する。医療用紫外光照射装置１００は、保持体２００がアーチ形状を為しており、保持体２００の一端が、支持部３００に回転することが可能に可動する可動部３５０を介して取り付けられている。保持体２００の他端には、撮像装置１５０が取り付けられている。
【００３１】
支持部３００は、支柱６００を介して、車輪５００を有する土台部４００に連結されている。例えば本実施の形態１に係る医療用紫外光照射装置１００は、ベッドの下方の隙間に土台部４００を差し込み、ベッドの長手方向に移動可能な状態で配置することにより、保持体２００をベッドに寝ている患者の患部に紫外光を照射可能な位置へと誘導することが可能となる。
【００３２】
支持部３００には、表示部７１０を有する操作装置７００が接続されており、撮像装置１５０で撮像された撮像対象物の画像を表示するとともに、紫外光源１において紫外光を照射する位置（領域）の指定及び照射量の制御を行うことができる。
【００３３】
図２は、本発明の実施の形態１に係る医療用紫外光照射装置１００の紫外光源１の構成を示す斜視図である。図３は、図２に示す紫外光源１のＡ−Ａ断面図である。
【００３４】
図２に示すように、本発明の実施の形態１に係る医療用紫外光照射装置１００の紫外光源１は、放電によって紫外光を発する放電ガスが内部に封入してある複数の放電細長管１１、１１、１１を電極支持シート（薄膜シート）１３に並列に配置してある。複数の電極対１２、１２、１２は予め電極支持シート１３の表面にパターニングされた状態で当該電極支持シート１３と放電細長管１１、１１、１１との間に、放電細長管１１の長手方向に略直交する方向に設けてある。
【００３５】
放電細長管１１はガラス製の管である。管径の大きさは特に限定されるものではないが、例えば管の長手方向と直交する面での断面形状が円形の場合、直径０．５〜５ｍｍ程度であることが望ましい。構成する紫外光源１の大きさは、放電細長管１１の長さと配置する本数とで任意に設定でき、例えば１ｍｍ径で長さ１ｍの放電細長管１１を１０００本配置することにより約１ｍ2 の紫外光源を容易に作ることができる。管の長手方向と直交する面での断面形状は、円形、半円形、楕円形、扁平楕円形、方形等、どのような形状であってもよい。
【００３６】
図２に示すように、平坦部と湾曲部とを有する扁平楕円形を含む扁円形状の断面を有する放電細長管１１は、平坦部において電極対１２との十分な接触面積を確保できる点で好ましい。また、放電細長管１１の内部には放電によって紫外光を発するネオン、キセノン等の放電ガスが所定の混合割合、所定の圧力で封入してある。なお、放電細長管１１の端部は、図３に示すように、放電ガスが漏れないように封止部材１５で封止してある。
【００３７】
紫外光源１の背面側に位置する電極支持シート１３は、可撓性を有するシート（フレキシブルシート）であり、例えばポリカーボネートフィルム、ＰＥＴ（ポリエチレンテレフタレート）フィルム等で構成してある。また、電極支持シート１３は、その表面に放電細長管１１を透過した光を反射する絶縁性フィルム又はコーティングの反射層１４を有している。
【００３８】
電極支持シート１３は、紫外光を反射し、可視光を透過する。図４は、本発明の実施の形態１に係る電極支持シート１３の透過率特性の例示図である。図４に示すように、電極支持シート１３は、ポリカーボネートフィルム等で構成されており、波長４００ｎｍ以上である可視光４１については透過率が８０％以上であるのに対し、４００ｎｍ以下である紫外光４２については、透過率がほとんど０％に近い。したがって、紫外光４２は電極支持シート１３にて反射されるのに対して、可視光４１は透過する。
【００３９】
図２に示すように、電極対１２の下地層となる反射層１４は、放電細長管１１を透過した紫外光を反射する絶縁性の材料で構成してある。反射層１４は、電極支持シート１３の裏面に金属反射膜として形成することもできる。また、電極支持シート１３を構成する樹脂フィルムの中に酸化チタンのような反射材料の粉末を混入させることで同様の効果を得ることも可能である。なお、紫外光源１は、反射層１４を設ける構成に限定されるものではなく、反射層１４を設けない構成であっても良い。
【００４０】
反射層１４も、紫外光を反射し、可視光を透過することが好ましい。図５は、本発明の実施の形態１に係る反射層１４の透過率特性の例示図である。図５に示すように、反射層１４は、ポリカーボネートフィルム等で構成されており、波長４００ｎｍ以上である可視光４１については透過率が８０％以上であるのに対し、４００ｎｍ以下である紫外光４２については、透過率がほとんど０％に近い。したがって、紫外光４２は反射層１４にて反射されるのに対して、可視光４１は透過する。
【００４１】
図６は、図２に示す紫外光源１のＢ−Ｂ断面図である。図７は、本発明の実施の形態１に係る医療用紫外光照射装置１００の紫外光源１の構成を示す概略図である。複数の電極対１２、１２、１２は、放電細長管１１の長手方向に略直交する方向のストライプ状パターンで電極支持シート１３上（図２、図３、図６の場合、絶縁性の反射層１４の表面）に設けてある。ただし、電極対１２は、隣接する電極の間で放電細長管１１の内部に放電を発生させることができるものであれば、特にストライプ状パターンで設けることに限定されるものではない。
【００４２】
図３に示すように、電極対１２は、一対のＸ電極１２Ｘ及びＹ電極１２Ｙで構成してある。電極対１２は、当該分野で公知の各種の材料を用いて単層又は多層の形で形成することができる。電極対１２に用いる材料としては、例えば、ＩＴＯ（酸化錫ドープ酸化インジウム）、ＳｎＯ2 等の透明な導電性材料や、Ａｇ、Ａｕ、Ａｌ、Ｃｕ、Ｃｒ等の金属の導電性材料が挙げられる。フィルム状の電極支持シート１３上で電極の可撓性を確保するため、電極パターンはベタ膜よりも網目状が好ましい。また、電極対１２の放電細長管１１と接する側の表面を反射面としてさらに紫外光の照射強度の向上を図ることができる。
【００４３】
電極支持シート１３上に電極対１２を形成する方法としては、当該分野で公知の各種の方法を用いることができる。例えば、印刷等の厚膜形成技術を用いて形成しても良いし、物理的堆積法、化学的堆積法等の薄膜形成技術とフォトリソグラフィのパターニング手法を用いて形成しても良い。厚膜形成技術としては、スクリーン印刷等が挙げられる。薄膜形成技術のうち、物理的堆積法としては、蒸着法、スパッタ法等が挙げられる。化学的堆積法としては、熱ＣＶＤ法、光ＣＶＤ法、プラズマＣＶＤ法等が挙げられる。このようにして予め一表面上に複数の電極対１２が形成された電極支持シート１３は、放電細長管１１の背面支持部材としての機能を有し、その電極対１２の形成面に複数の放電細長管１１を並べて図示しない接着剤で貼り付けられる。
【００４４】
上記構成において、放電細長管１１から所定波長の紫外光を得るには、図６に示すように放電細長管１１ごとに、放電によって発する紫外光により励起されて所定の波長の紫外光を発する蛍光体材料で構成してある蛍光体層１６、１６、１６を内壁面に形成する。放電細長管１１の内壁面に蛍光体層１６を形成する方法としては、蛍光体粒子を分散したスラリーを放電細長管１１内に注入して内壁の一面に蛍光体を沈降させる沈降法や、感光性の蛍光体塗布液を導入してパターン露光する方法、蛍光体層１６を形成した細長い樋状の支持部材を放電細長管１１内に挿入する方法等を適宜採用することができる。
【００４５】
さらに、放電細長管１１の内壁面に形成する蛍光体層１６は、放電細長管１１の断面が扁平楕円形状の場合、内壁面の全てに形成しても良いし、図２に示すように扁平楕円状の放電細長管１１の内壁の両湾曲部に形成しても良いし、図６に示すように放電細長管１１の紫外光を出射する側の扁平内壁面に形成しても良い。図６に示すように放電細長管１１の放電によって発する紫外光により蛍光体層１６が励起されて所定の波長の紫外光が、放電細長管１１の蛍光体層１６を透過して出射する。蛍光体層１６を電極支持シート１３側の扁平内壁面に形成した場合、出射する紫外光が蛍光体層１６でも反射する反射型の紫外光源となる。
【００４６】
また、放電細長管１１の放電ガスと接する内壁面には、放電細長管１１を構成するガラス材料より二次電子放出係数の高い電子放出材料、例えば酸化マグネシウム（ＭｇＯ）で構成してある電子放出層(図示省略)を形成してある。ここで、電子放出材料は、ＭｇＯに限定されるものではなく、ＣａＯ、ＳｒＯ、ＭｇＳｒＯ、ＳｒＣａＯ等のＰＤＰ（プラズマディスプレイパネル）の保護層に用いられている材料でも良い。
【００４７】
図６では、紫外光源１は、蛍光体層１６、１６、１６を利用して、放電によって発する紫外光により励起された所定の波長（放電によって発する紫外光とは異なる波長）の紫外光を発している。斯かる構成以外に、放電細長管１１の内壁面に蛍光体層１６を形成することなく放電によって発する紫外光をそのまま利用しても良い。例えば、キセノンを含む混合ガスを利用した場合、蛍光体なしで遠紫外域の真空紫外光を発することができる。また、放電ガスとしてキセノンを含む混合ガスを利用し、さらに蛍光体層１６の蛍光体材料としてガドリニウム（Ｇｄ）のような希土類系の紫外発光蛍光体を用いた場合、放電によって発する紫外光とは異なる波長の紫外光（ＵＶ−Ｂ等）を発することができる。なお、紫外光源１は、放電細長管１１に紫外光を透過する材料を使用する必要がある。例えば、紫外光を透過する材料には、石英ガラス（ＳｉＯ2 ）、ＭｇＦ2 、ＣａＦ2 、ＬｉＦ等がある。紫外光源１は、従来の超高圧水銀ランプのように、環境上問題となる水銀を使用していない。
【００４８】
図２、図３、図６、図７に示すように、本実施の形態１に係る紫外光源１では、電極対１２、１２、１２は、並列に配置してある放電細長管１１、１１、１１の長手方向に略直交する方向に放電細長管１１の下部の平坦部外面に接する外部電極として設けてあり、ＡＣパルス駆動を行う。Ｘ電極１２ＸとＹ電極１２Ｙとの間に、放電細長管１１の内部に放電を発生させる電圧値の閾値以上のパルス電圧を交互に印加した場合、放電細長管１１の内部では、放電細長管１１と電極対１２とが交差する位置にて、いわゆる面放電形式の放電が発生する。電極対１２ごとにパルス電圧の印加を制御できるようにしておくことで、電極対１２に沿ったラインごとに放電とそれに伴う発光のオン・オフを制御することができる。つまり、紫外光源１は、同じ放電細長管１１内で照射領域と、非照射領域とを生成することができ、同じ紫外光蛍光管内で照射領域と、非照射領域とを生成することができない従来の紫外光蛍光管等を紫外光源に用いる場合に比べて、紫外光の照射強度や紫外光を照射することができる範囲を微細に調整することができる。
【００４９】
さらに、図８は、図２に示す別の構成の紫外光源１のＢ−Ｂ断面図である。図８に示す紫外光源１は、電極対１２、１２、１２に対して直交し、各放電細長管１１の長手方向に沿って電極１７、１７、１７を有する電極シート１８をさらに備え、電極支持シート１３と電極シート１８とで複数の放電細長管１１、１１、１１を挟持する。従って、紫外光源１は、電極対１２、１２、１２と電極１７、１７、１７とが交差する位置ごとに照射領域と、非照射領域とを生成することができるため、従来の紫外光蛍光管を紫外光源に用いる場合に比べて、紫外光の照射強度を更に微細に調整することができる。なお、電極シート１８は、紫外光を透過する材料を用いている。
【００５０】
図９は、本発明の実施の形態１に係る紫外光源１を点灯駆動する回路の基本的構成を示す回路図である。図９に示すように、放電細長管１１、１１、・・・の長手方向に略直交する方向に電極対１２、１２、・・・を設け、電極対１２、１２、・・・のうちＸ電極１２Ｘ、１２Ｘ、・・・は、コネクタの構成に合わせて複数の電極接続部６１Ｘ、６１Ｘ、６１Ｘに分けてそれぞれ接続してあり、電極対１２、１２、・・・のうちＹ電極１２Ｙ、１２Ｙ、・・・も、同じくコネクタの構成に合わせて複数の電極接続部６１Ｙ、６１Ｙ、６１Ｙに分けてそれぞれ接続してある。
【００５１】
パルス駆動回路６２Ｘ（６２Ｙ）は、タイミング信号発生回路及びパルス信号発生回路を含み、電極接続部６１Ｘ、６１Ｘ、６１Ｘ（電極接続部６１Ｙ、６１Ｙ、６１Ｙ）に接続し、Ｘ電極１２Ｘ、１２Ｘ、・・・とＹ電極１２Ｙ、１２Ｙ、・・・とに交互にパルス電圧を印加する。電源６３は、パルス駆動回路６２Ｘ、６２Ｙに接続した直流又は交流電源で、電極接続部６１Ｘ、６１Ｘ、６１Ｘ、電極接続部６１Ｙ、６１Ｙ、６１Ｙを介してＸ電極１２Ｘ、１２Ｘ、・・・、Ｙ電極１２Ｙ、１２Ｙ、・・・にパルス電圧を印加するために必要な電力を供給している。
【００５２】
制御回路６４は、パルス駆動回路６２Ｘ、６２Ｙに接続し、電極接続部６１Ｘ、６１Ｘ、６１Ｘ、電極接続部６１Ｙ、６１Ｙ、６１Ｙを介してパルス駆動回路６２Ｘ、６２ＹからＸ電極１２Ｘ、１２Ｘ、・・・、Ｙ電極１２Ｙ、１２Ｙ、・・・に印加するパルス電圧の周波数及びパルス電圧の電圧値のうち少なくとも一方を制御して、放電細長管１１、１１、・・・から発する紫外光の照射強度を調整する。
【００５３】
次に、本発明の実施の形態１に係る紫外光源１は、可撓性を有する電極支持シート１３上に複数の放電細長管１１、１１、・・・を並列に配置した構成であるため、放電細長管１１、１１、・・・の長手方向と直交する方向に対して可撓性を有する。したがって、例えばアーチ形状を有する保持体２００の曲面に沿って複数の紫外光源１を取り付けることにより、紫外光を照射する対象物（例えば人体）の形状に、紫外光源１の紫外光を照射する面の形状を合わせた装置を容易に実現することができる。
【００５４】
図１０は、本発明の実施の形態１に係る紫外光源１を保持体２００に保持した状態を示す断面図である。図１０の例では、保持体２００のバックボードとして機能する部分が曲面状に湾曲しており、紫外光源１は保持体２００の曲面に沿って放電細長管１１、１１、・・・の長手方向と直交する方向に対して曲げられている。
【００５５】
なお、保持体２００のバックボードとして機能する部分と電極支持シート１３とは接着剤で固定してもよいが、面ファスナ等の簡単に取り外しができる部材を用いて、電極支持シート１３を保持体２００に対して着脱可能に取り付けても良い。例えば、電極支持シート１３側の周辺又は分散した位置にフック状に起毛されたシートを、保持体２００のバックボードとして機能する部分側の対応する位置にループ状に密集して起毛されたシートをそれぞれ貼り付け、それぞれのシートを押し付けることで、電極支持シート１３を保持体２００に簡単に取り付けることができる。また、それぞれのシートを引き離すことで、電極支持シート１３を保持体２００から簡単に取り外すことができる。電極支持シート１３を保持体２００に対して着脱可能に取り付けることで、医療用紫外光照射装置１００に対して発光波長やサイズの相違する紫外光源１の取り付け、取り外しが容易になる。
【００５６】
本実施の形態１に係る医療用紫外光照射装置１００は、保持体２００の一部に撮像装置１５０が取り付けられている。図１１は、本発明の実施の形態１に係る医療用紫外光照射装置１００の構成を示す、保持体２００の回転軸に直交する面での断面図である。
【００５７】
図１１に示すように、本実施の形態１に係る医療用紫外光照射装置１００は、保持体２００の一端に回転することが可能に可動する可動部３５０を介して支持部３００に取り付けられている。そして、保持体２００の他端に撮像装置１５０が取り付けられている。なお、保持体２００の可動部３５０は、回転するものに限定されるものではなく、紫外光を照射する対象物との距離及び位置関係を調整することが可能な構造、例えば上下動することが可能な構造、水平方向に回転することが可能な構造等であれば良い。
【００５８】
紫外光を照射する対象物を撮像する場合、保持体２００を位置（Ａ）で固定し、撮像装置１５０が対象物を撮像する。そして、紫外光の照射時には、保持体２００を例えば９０度回転させて、位置（Ｂ）にて紫外光源１により紫外光を照射する。
【００５９】
もちろん、撮像装置１５０を取り付ける位置は図１１の例に限定されるものではなく、対象物を撮像できる位置（保持体２００の一部）であればどこでも良い。また、撮像装置１５０の取り付け個数についても１個に限定されるものではなく、複数個取り付けても良いことは言うまでもない。
【００６０】
撮像装置１５０で撮像された画像は、操作装置７００の表示部７１０に表示される。図１２は、本発明の実施の形態１に係る医療用紫外光照射装置１００の、紫外光を照射する対象物が人体である場合の紫外光照射領域の例示図である。
【００６１】
医療用紫外光照射装置１００の下方に、紫外光を照射する対象物である人体を横たえる。そして、保持体２００を例えば９０度立てた状態、すなわち図１１の位置（Ａ）の状態で人体を撮像する。人体が撮像された図１２（ａ）に示す撮像された画像１２１は、図１２（ｂ）に示す画像として操作装置７００の表示部７１０に表示される。
【００６２】
なお、紫外光を照射する対象物を撮像する撮像装置１５０は、図１に示すように１個備える構成でも良いし、複数個備える構成であっても良い。図１３は、本発明の実施の形態１に係る医療用紫外光照射装置１００の撮像装置１５０を複数個配置した場合の撮像状態を示す模式図である。
【００６３】
図１３の例では、医療用紫外光照射装置１００は、紫外光を照射する対象物である人体９１０の身長方向に２個の撮像装置１５０を備えている。この場合、２個の撮像装置１５０で撮像された画像を合成して、１枚の画像とした状態で操作装置７００の表示部７１０に表示される。したがって、対象物である人体９１０の身長が大きい場合であっても、紫外光を人体の全体にわたって照射することが可能となる。
【００６４】
また、対象物である人体９１０の身長方向ではなく、身幅方向に２個の撮像装置１５０を備えていても良い。図１４は、本発明の実施の形態１に係る医療用紫外光照射装置１００の撮像装置１５０を対象物である人体９１０の身幅方向に複数個配置した場合の撮像状態を示す模式図である。
【００６５】
図１４の例では、医療用紫外光照射装置１００は、対象物である人体９１０の身幅方向に２個の撮像装置１５０を備えている。この場合、２個の撮像装置１５０は、アーチ形状を有する保持体２００の両端に取り付ける。したがって、対象物である人体９１０を覆う位置に保持体２００を移動させた状態で撮像することができるので、通常は撮像することが困難である対象物の側面部分も撮像することが可能となる。
【００６６】
撮像された画像を表示する場合、保持体２００が透明である場合に見える状態の画像に補正されて表示されることが好ましい。撮像装置１５０の位置によっては、表示される画像に歪が生じているからである。
【００６７】
具体的には、保持体２００のアーチ形状に沿って同一面積で分割した紫外光照射領域を上方から平面視した形状で、撮像装置１５０で撮像された画像を複数の領域に分割する。そして、撮像による歪を補正して、平面視した画像と同等の画像とする。これにより、操作装置７００の表示部７１０には、対象物である人体９１０を上方から見た状態の画像が表示され、紫外光を照射する領域を確実に指定することが可能となる。
【００６８】
図１５は、本発明の実施の形態１に係る医療用紫外光照射装置１００で表示される画像を説明するための模式図である。図１５は、対象物である人体９１０をベッドに横たわらせて、アーチ形状を有する保持体２００をかぶせた状態を断面図として示している。
【００６９】
図１５に示すように、保持体２００のアーチ形状に沿って同一面積で分割した紫外光照射領域を上方から平面視する。そして、それぞれの領域２００ａ〜２００ｅについて、撮像装置１５０で撮像された画像を分割する。撮像による歪は残っているので、領域２００ａ〜２００ｅそれぞれについて歪を補正し、平面視した画像と同等の画像とする。補正後の画像を、分割された紫外光照射領域の境界線とともに、操作装置７００の表示部７１０に表示する。
【００７０】
もちろん、画像の表示方法はこれに限定されるものではない。特に対象物である人体９１０のように厚みを有している場合、側面方向から撮像された画像も紫外光照射領域を指定するのに欠かせない。
【００７１】
そこで、撮像装置１５０で撮像された画像を、保持体２００のアーチ形状に接する平面上に投影した画像に補正し、補正された補正画像を対応する紫外光源に合わせて複数の領域に分割しても良い。図１６は、本発明の実施の形態１に係る医療用紫外光照射装置１００で表示される他の画像を説明するための模式図である。図１６は、対象物である人体９１０をベッドに横たわらせた状態で撮像された画像をアーチ形状の保持体２００の頂部に接する平面に展開する状態を断面図として示している。
【００７２】
図１６に示すように、撮像装置１５０により撮像された画像を、対応する紫外光照射領域ごとに分割し、分割された分割画像を、アーチ形状を有する保持体２００の頂部に接する平面１５１に矢印方向に展開する。展開された画像１６０ａ〜１６０ｅを、操作装置７００の表示部７１０に表示する。これにより、対象物である人体９１０の側面部分であっても確実に紫外光を照射することが可能な紫外光照射領域を指定することが可能となる。
【００７３】
また、画像の表示方法は、いずれか１つに限定しても良いし、ユーザのニーズに応じて選択することが可能であっても良い。例えば図１５に示す表示方法と図１６に示す表示方法とを、操作装置７００の操作により切り替える（切替手段）。これにより、ユーザのニーズに応じて、見たままの画像に対応して紫外光照射領域を指定する場合には図１５に示す表示方法を、側面部分に確実に紫外光を照射する必要がある場合には図１６に示す表示方法を、と言うように柔軟に表示方法を切り替えることが可能となる。
【００７４】
紫外光照射領域は、操作装置７００の表示部７１０に表示されている画像に基づいて指定される。図１７は、本発明の実施の形態１に係る医療用紫外光照射装置１００の、紫外光照射領域と撮像された画像との対応例を示す模式図である。
【００７５】
図１７（ａ）の例では、紫外光照射領域１３１は、１２個の均等な領域に分割されている。分割されたそれぞれの領域に対応する紫外光源１を発光させることにより、領域ごとに紫外光を照射するか否かを制御することができる。
【００７６】
そして、図１７（ｂ）に示すように、紫外光照射領域１３１と撮像された画像１２１とを、画面上で重畳して表示する。これにより、画面上で紫外光照射領域１３１として、分割された一又は複数の領域の指定を受け付けることにより、指定を受け付けた領域に位置する紫外光源１を発光させる。
【００７７】
具体的には、制御回路６４は、接続されているパルス駆動回路６２Ｘ、６２Ｙのうち、指定を受け付けたＸ電極１２Ｘ、１２Ｘ、・・・、Ｙ電極１２Ｙ、１２Ｙ、・・・にのみパルス電圧を印加する。これにより、操作装置７００の表示部７１０に表示されている分割された領域を指定することで、所望の位置に紫外光を照射する紫外光源１のみを発光させることが可能となる。
【００７８】
図１８は、本発明の実施の形態１に係る医療用紫外光照射装置１００を使用する状態を説明するための模式図である。図１８（ａ）に示すように、昇降可能なベッド９００に、対象物である人体９１０を横たわらせる。人体９１０を撮像した後、保持体２００を人体９１０の上方にかぶせる。
【００７９】
次に、操作装置７００の表示部７１０において分割された画像１２１と、紫外光源１の紫外光照射領域１３１とをリンクさせる。図１８（ｂ）に示すように、１２個に分割された画像１２１と、紫外光照射領域１３１とがリンクされており、例えばハッチングされている分割された画像１２１ａ〜１２１ｄが指定された場合には、対応する位置の紫外光源１が発光することにより、人体９１０に対して紫外光を照射する。
【００８０】
図１９は、本発明の実施の形態１に係る医療用紫外光照射装置１００の操作装置７００におけるユーザインタフェースの例示図である。図１９に示すように、操作装置７００の表示部７１０に、画像表示領域１９１及び照射量指示領域１９２を表示している。
【００８１】
画像表示領域１９１には、撮像装置１５０で撮像された対象物（人体）の画像と、分割された撮像領域とが表示されている。ユーザは、対象物の画像を確認しながら、紫外光を照射するべき患部を含む撮像領域を、タッチパネルで指定する。例えばハッチングされている分割された画像１２１ａ〜１２１ｄを指定する。
【００８２】
そして、照射量指示領域１９２では、紫外光の照射量を、最低値を‘１’、最大値を‘３００’として、数値の入力を受け付けている。分割された画像１２１の左端から第一列をＡ列、次をＢ列、以下、Ｃ列、Ｄ列とし、列単位で照射量の数値の入力を受け付けている。これにより、列ごとに紫外光の照射量を調整することが可能となる。
【００８３】
なお、操作装置７００を用いることなく、保持体２００上で直接、紫外光照射領域の指定を受け付けても良い。例えば保持体２００を、紫外光を反射するものの、可視光を透過する素材で形成する。したがって、保持体２００を対象物（人体）にかぶせた場合であっても、人体の位置を保持体２００の上から目視で確認することができる。
【００８４】
以上のように、本発明の実施の形態１に係る医療用紫外光照射装置１００は、撮像装置１５０で撮像された画像上で、紫外光を発する領域の指定を受け付けることにより、ユーザは、操作に熟練を要することなく、目視確認により紫外光を照射するべきと判断された患部に対してのみ正しく紫外光を照射することができ、医療効果を高めることが可能となる。
【００８５】
なお、本発明の実施の形態１に係る紫外光源１は、電極対１２、１２、１２を、図２に示すように放電細長管１１、１１、１１の長手方向に略直交する方向に設ける構成に限定されるものではなく、各放電細長管１１、１１、１１の長手方向に沿って、放電細長管１１ごとに設ける構成でも良い。
【００８６】
図２０は、本発明の実施の形態１に係る紫外光源１を選択的に点灯駆動する回路の基本的構成を示す回路図である。図２０に示すように、放電細長管１１、１１、・・・の長手方向に略直交する方向に電極対１２、１２、・・・を設け、Ｘ電極１２Ｘ、１２Ｘ、・・・は、コネクタの構成に合わせて複数の電極接続部６１Ｘ、６１Ｘ、６１Ｘに分けてそれぞれ接続してあるが、Ｙ電極１２Ｙ、１２Ｙ、・・・は、図示しないコネクタの構成に合わせて複数のスイッチ回路６５Ｙ、６６Ｙ、６７Ｙに分けてそれぞれ接続してある。Ｘ電極１２Ｘ側のパルス駆動回路６２Ｘはタイミング信号発生回路及びパルス信号発生回路を含み、電極接続部６１Ｘ、６１Ｘ、６１Ｘに接続し、Ｘ電極１２Ｘ、１２Ｘ、・・・にパルス電圧を印加する。Ｙ電極１２Ｙ側のパルス駆動回路６２Ｙはタイミング信号発生回路及びパルス信号発生回路を含み、スイッチ回路６５Ｙ、６６Ｙ、６７Ｙに接続し、Ｙ電極１２Ｙ、１２Ｙ、・・・にパルス電圧を印加する。
【００８７】
図２１は、本発明の実施の形態１に係るスイッチ回路６５Ｙ、６６Ｙ、６７Ｙの回路構成を示す回路図である。図２１に示すスイッチ回路６５Ｙ、６６Ｙ、６７Ｙは、デコードコントロール回路６８、トランジスタＴｓ１１、Ｔｓ１２、Ｔｓ２１、Ｔｓ２２、・・・、Ｔｓｎ１、Ｔｓｎ２を備えている。デコードコントロール回路６８は、制御回路６４からのブロック選択信号を含んだ制御信号によりトランジスタＴｓ１１、Ｔｓ１２、Ｔｓ２１、Ｔｓ２２、・・・、Ｔｓｎ１、Ｔｓｎ２のオン・オフを制御する。トランジスタＴｓ１１、Ｔｓ２１、・・・、Ｔｓｎ１は、制御回路６４の制御信号によりパルス駆動回路６２ＹのトランジスタＴ１がオン状態の場合に、電源６３の電圧値ＶｓをＹ電極１２Ｙ１、１２Ｙ２、・・・、１２Ｙｎに印加する。トランジスタＴｓ１２、Ｔｓ２２、・・・、Ｔｓｎ２は、制御回路６４の制御信号によりパルス駆動回路６２ＹのトランジスタＴ２がオン状態の場合に、Ｙ電極１２Ｙ１、１２Ｙ２、・・・、１２ＹｎをＧＮＤに接地する。
【００８８】
図２０に戻って、電源６３は、パルス駆動回路６２Ｘ、６２Ｙに接続した直流又は交流電源で、電極接続部６１Ｘ、６１Ｘ、６１Ｘ及びスイッチ回路６５Ｙ、６６Ｙ、６７Ｙを介してＸ電極１２Ｘ、１２Ｘ、・・・、Ｙ電極１２Ｙ、１２Ｙ、・・・にパルス電圧を印加するために必要な電力を供給している。制御回路６４には、操作装置７００にて指定を受け付けた紫外光源１の照射位置（領域）及び照射量に関する情報を送信する手段が含まれており、電極接続部６１Ｘ、６１Ｘ、６１Ｘ及びスイッチ回路６５Ｙ、６６Ｙ、６７Ｙを介してパルス駆動回路６２Ｘ、６２ＹからＸ電極１２Ｘ、１２Ｘ、・・・、Ｙ電極１２Ｙ、１２Ｙ、・・・に印加するパルス電圧の周波数及びパルス電圧の電圧値のうち少なくとも一方を制御して、放電細長管１１、１１、・・・から発する紫外光の照射強度を調整する。
【００８９】
このような照射領域のブロック選択は、指定を受け付けた紫外光照射領域に基づいて、制御回路６４に記憶した照射領域のパターンのアドレスコードを読み出し、読み出したアドレスコードをデコードコントロール回路６８で解読して各スイッチ回路６５Ｙ、６６Ｙ、６７ＹのトランジスタＴｓ１１、Ｔｓ１２、Ｔｓ２１、Ｔｓ２２、・・・、Ｔｓｎ１、Ｔｓｎ２をブロック単位でオン・オフ制御することにより実行する。また、Ｙ電極１２Ｙは、制御回路６４から読み出したアドレスコードにより、１本単位でパルス電圧を印加するか否かを制御することができるので、紫外光を照射する対象物（例えば人体）に応じて電極対１２に対応した照射領域を制御して、紫外光を照射することができる範囲を調整することができる。
【００９０】
さらに、図８に示した紫外光源１のように、電極対１２と交差する方向に電極１７を設けた場合、アドレス電圧を印加する選択回路を電極１７に接続して、電極１７をアドレス電極として用いることにより、電極対１２と電極１７との交差する領域単位で、紫外発光をマトリックス的に制御することが可能となる。
【００９１】
以上のように、紫外光源１が電極対１２、１２、・・・のうち少なくとも一の電極（Ｙ電極１２Ｙ）に印加する電圧をブロック又はラインごとに制御するスイッチ回路６５Ｙ、６６Ｙ、６７Ｙを備えているので、複数のブロックに分けた電極対１２、１２、・・・と交差する放電細長管１１、１１、・・・内の領域又は放電細長管１１、１１、・・・ごとに照射領域と、非照射領域とを生成することができ、紫外光を照射することができる範囲を任意に調整することができる。
【００９２】
なお、電極対１２、１２、１２を、図２０に示すように放電細長管１１、１１、１１の長手方向に略直交する方向に設ける構成に限定されるものではなく、放電細長管１１、１１、１１の長手方向に沿って、放電細長管１１ごとに設ける構成でも良い。
【００９３】
（実施の形態２）
本発明の実施の形態２に係る医療用紫外光照射装置１００の外観は、実施の形態１と同様であるので、同一の機能を有する構成要素については同一の符号を付することにより詳細な説明は省略する。本実施の形態２は、紫外光源として面光源ではなく、アーチ形状の保持体２００に複数配列されている紫外光源として点光源を用いている点で実施の形態１とは相違する。
【００９４】
図２２は、本発明の実施の形態２に係る医療用紫外光照射装置１００の紫外光源１０の構成を示す模式図である。図２２に示すように、本発明の実施の形態２に係る医療用紫外光照射装置１００の紫外光源１０は、紫外光を発する点光源１０１をユニット１０２内に取り付けてある。ユニット１０２内の点光源１０１が取り付けてある面の反対側に紫外光を透過する出射部１０３を設けてある。
【００９５】
点光源１０１としては、ＵＶ−ＬＥＤ、水銀ランプ等が採用される。出射部１０３は、開口部であっても良いし、紫外光を透過させる部材で点光源１０１をユニット１０２内に収容しても良い。出射部１０３の形状に応じて、紫外光照射領域１０４の形状、サイズ等が定まる。
【００９６】
紫外光源１０は、保持体２００に配列状に取り付けられる。図２３は、本発明の実施の形態２に係る医療用紫外光照射装置１００の紫外光源１０を、保持体２００に取り付ける状態を示す模式図である。図２３に示すように、保持体２００には、配列状に開口部２０１が設けてあり、ユニット１０２の出射部１０３を、保持体２００の開口部２０１に取り付ける。
【００９７】
本実施の形態２に係る紫外光源１０は点光源１０１なので、紫外光源１０ごとに発光のオン・オフを制御することができる。つまり、紫外光源１０のオンオフに応じて照射領域と非照射領域とを生成することができる。
【００９８】
実施の形態１と同様、本実施の形態２に係る医療用紫外光照射装置１００も、保持体２００の一部に撮像装置１５０が取り付けられている。撮像装置１５０が取り付けられている位置は、実施の形態１の図１１と同様、保持体２００の他端であっても良い。
【００９９】
この場合、紫外光を照射する対象物を撮像するには、保持体２００を図１１の位置（Ａ）で固定し、撮像装置１５０が対象物を撮像する。そして、紫外光の照射時には、保持体２００を例えば９０度回転させて、図１１の位置（Ｂ）にて紫外光を照射する。
【０１００】
もちろん、撮像装置１５０を取り付ける位置は図１１の例に限定されるものではなく、対象物を撮像できる位置（保持体２００の一部）であればどこでも良い。また、撮像装置１５０の個数についても１個に限定されるものではなく、複数個取り付けてあっても良いことは言うまでもない。
【０１０１】
また、撮像された画像を表示する場合、保持体２００が透明である場合に見える状態の画像に補正されて表示されることが好ましい。撮像装置１５０の位置によっては、表示される画像に歪が生じているからである。
【０１０２】
具体的には、保持体２００のアーチ形状に沿って同一面積で分割した紫外光照射領域を上方から平面視した形状で、撮像装置１５０で撮像された画像を複数の領域に分割する。そして、撮像による歪を補正して、平面視した画像と同等の画像とする。これにより、操作装置７００の表示部７１０には、対象物を上方から見た状態の画像が表示され、紫外光を照射する領域を確実に指定することが可能となる。
【０１０３】
もちろん、画像の表示方法はこれに限定されるものではない。特に対象物が人体のように厚みを有している場合、側面方向から撮像された画像も紫外光照射領域を指定するのに欠かせない。
【０１０４】
そこで、撮像装置１５０で撮像された画像を、保持体２００のアーチ形状に接する平面上に投影した画像に補正し、補正された補正画像を対応する紫外光源に合わせて複数の領域に分割しても良い。
【０１０５】
また、画像の表示方法は、いずれか１つに限定しても良いし、ユーザのニーズに応じて選択することが可能であっても良い。例えば実施の形態１と同様、図１５に示す表示方法と図１６に示す表示方法とを、操作装置７００の操作により切り替えても良い（切替手段）。これにより、ユーザのニーズに応じて、見たままの画像に対応して紫外光照射領域を指定する場合には図１５に示す表示方法を、側面部分に確実に紫外光を照射する必要がある場合には図１６に示す表示方法を、と言うように柔軟に表示方法を切り替えることが可能となる。
【０１０６】
紫外光照射領域は、実施の形態１と同様、操作装置７００の表示部７１０に表示されている画像に基づいて指定される。すなわち、実施の形態１の図１７（ａ）に示すように、紫外光照射領域１３１が１２個の均等な領域に分割されている場合、分割されたそれぞれの領域に対応する紫外光源１０を発光させることにより、領域ごとに紫外光を発するか否かを制御することができる。
【０１０７】
そして、図１７（ｂ）に示すように、紫外光照射領域１３１と撮像された画像１２１とを、画面上で重畳して表示する。これにより、画面上で紫外光照射領域として、分割された一又は複数の領域の指定を受け付けることにより、指定を受け付けた領域に位置する紫外光源１０を発光させる。
【０１０８】
操作装置７００におけるユーザインタフェースは、実施の形態１の図１９と同様である。すなわち、操作装置７００の表示部７１０に、画像表示領域１９１及び照射量指示領域１９２が表示され、ユーザは、対象物の画像を確認しながら、紫外光を照射するべき患部を含む領域を、タッチパネルで指定する。また、紫外光の照射量も同様に調整することが可能となる。
【０１０９】
以上のように、本発明の実施の形態２に係る医療用紫外光照射装置１００は、撮像装置１５０で撮像された画像上で、紫外光を発する領域の指定を受け付けることにより、点光源を用いる場合であっても、ユーザは、操作に熟練を要することなく、目視確認により紫外光を照射するべきと判断された患部に対してのみ正しく紫外光を照射することができ、医療効果を高めることが可能となる。
【符号の説明】
【０１１０】
１、１０  紫外光源
１１  放電細長管
１２  電極対
１３  電極支持シート（薄膜シート）
１４  反射層
１５  封止部材
１６  蛍光体層
１７  電極
１８  電極シート
６１Ｘ、６１Ｙ  電極接続部
６２Ｘ、６２Ｙ  パルス駆動回路
６３  電源
６４  制御回路
６５Ｙ、６６Ｙ、６７Ｙ  スイッチ回路
１００  医療用紫外光照射装置
１５０  撮像装置（撮像手段）
２００  保持体
３００  支持部
３５０  可動部
７００  操作装置
７１０  表示部
【図１】
0006594352.tif 000002
【図２】
0006594352.tif 000003
【図３】
0006594352.tif 000004
【図４】
0006594352.tif 000005
【図５】
0006594352.tif 000006
【図６】
0006594352.tif 000007
【図７】
0006594352.tif 000008
【図８】
0006594352.tif 000009
【図９】
0006594352.tif 000010
【図１０】
0006594352.tif 000011
【図１１】
0006594352.tif 000012
【図１２】
0006594352.tif 000013
【図１３】
0006594352.tif 000014
【図１４】
0006594352.tif 000015
【図１５】
0006594352.tif 000016
【図１６】
0006594352.tif 000017
【図１７】
0006594352.tif 000018
【図１８】
0006594352.tif 000019
【図１９】
0006594352.tif 000020
【図２０】
0006594352.tif 000021
【図２１】
0006594352.tif 000022
【図２２】
0006594352.tif 000023
【図２３】
0006594352.tif 000024